(57)【要約】【課題】デスク等の天板や、それを支持する支持アームの撓みによって天板に傾斜が生じた場合においても、その天板の傾斜を、容易に調整することができるようにする。【解決手段】天板１を、その下部に取付けられた天板１の前後方向を向く横支杆６と、この横支杆６から下方に向かって延設された縦支杆７を有する、複数個のほぼ倒立Ｌ時型の支持アーム３と、これと連設され荷重を支える支持部材５とによって支持した天板１の支持構造において、支持アーム３を左右方向の支軸の回りに回動可能に支持部材５に取付けるとともに、支持部材５に設けた、先端部を支持アーム３の縦支杆７の前面または後面に当接させた調節ボルト４０を回すことにより、前記先端部の前後方向の位置を変更して支持アーム３を回動させ、天板１の傾斜角度を変更可能とする。【選択図】        図３
2004351117.tif 000002
【特許請求の範囲】
【請求項１】
天板を、その下部に取付けられた天板の前後方向を向く横支杆と、この横支杆から下方に向かって延設された縦支杆を有する、複数個のほぼ倒立Ｌ時型の支持アームと、これと連設され荷重を支える支持部材とによって支持した天板の支持構造において、支持アームを左右方向の支軸の回りに回動可能に支持部材に取付けるとともに、支持部材に設けた、先端部を支持アームの縦支杆の前面または後面に当接させた調節ボルトを回すことにより、前記先端部の前後方向の位置を変更して支持アームを回動させ、天板の傾斜角度を変更可能としたことを特徴とする天板の傾斜角度調整機構。
【請求項２】
前記支持部材の調節ボルト取付け位置の下方または上方にネジ挿通孔を設けるとともに、支持アームの前記ネジ挿通孔と対応する位置に雌ネジ孔を設け、それらをネジによって固定しうるようにしたことを特徴とする請求項１に記載の天板の傾斜角度調整機構。
【請求項３】
前記複数の支持アーム同士を、横支杆によって互いに連結したことを特徴とする請求項１または２に記載の天板の傾斜角度調整機構。
【請求項４】
支持部材に雌ネジ孔を設けるとともに、支持アームにネジ挿通孔を上下方向に連設し、これら複数のネジ挿通孔のうちから１つを選択して、ネジを挿通させ、前記雌ネジ孔に螺合させることによって、天板面の位置を、上下方向に変更可能としたことを特徴とする請求項１〜３のいずれかに記載の天板の傾斜角度調整機構。
【発明の詳細な説明】
【０００１】
【発明の属する技術分野】
本発明は、事務用デスク等の天板における傾斜角度調整機構に関する。
【０００２】
【従来の技術】
事務用デスク等においては、天板下側の空間を広く確保して作業性を良くするため、天板をＬ字形の支持アームで支持し、この支持アームを構造体（支持部材）に設けて構成したものがある（例えば、特許文献１参照）。
このような天板支持構造においては、床面の不陸によって、隣り合って並ぶ天板面の高さに不一致が発生した場合には、構造体の下部に設けられたアジャスタを用いて、不陸を調整するようになっている。
【０００３】
しかしながら、このような天板支持構造の場合、天板や支持アーム自身の撓みによって生じる、天板の下方への傾斜，および隣り合って並んだ天板の対向する縁辺の高さの不一致に関しては、調整ができないため、利便性が悪くなってしまうばかりでなく、体裁も悪くなる。
こうした問題の対策としては、支持アームとその支持構造を強固に製作せざるを得ず、このことは、加工工数、コスト、製品重量等の増加の要因となっている。
【０００４】
【特許文献１】
実用新案公告平１０−９９１３６号公報（図１，図４）
【０００５】
【発明が解決しようとする課題】
本発明は、従来の技術の有する上記のような問題点に鑑み、天板や支持アーム自身の撓みによって天板に傾斜が生じた場合においても、天板の傾斜、および隣り合って並んだ天板の対向する縁辺の高さの不一致を調整することが可能な天板の傾斜角度調整機構を提供することを目的としている。
【０００６】
【課題を解決するための手段】
本発明によると、上記課題は次のようにして解決される。
（１）天板を、その下部に取付けられた天板の前後方向を向く横支杆と、この横支杆から下方に向かって延設された縦支杆を有する、複数個のほぼ倒立Ｌ時型の支持アームと、これと連設され荷重を支える支持部材とによって支持した天板の支持構造において、支持アームを左右方向の支軸の回りに回動可能に支持部材に取付けるとともに、支持部材に設けた、先端部を支持アームの縦支杆の前面または後面に当接させた調節ボルトを回すことにより、前記先端部の前後方向の位置を変更して支持アームを回動させ、天板の傾斜角度を変更可能とする。
【０００７】
（２）上記（１）項において、前記支持部材の調節ボルト取付け位置の下方または上方にネジ挿通孔を設けるとともに、支持アームの前記ネジ挿通孔と対応する位置に雌ネジ孔を設け、それらをネジによって固定しうるようにする。
【０００８】
（３）上記（１）または（２）項において、前記複数の支持アーム同士を、横支杆によって互いに連結する。
【０００９】
（４）上記（１）〜（３）項のいずれかにおいて、支持部材に雌ネジ孔を設けるとともに、支持アームにネジ挿通孔を上下方向に連設し、これら複数のネジ挿通孔のうちから１つを選択して、ネジを挿通させ、前記雌ネジ孔に螺合させることによって、天板面の位置を、上下方向に変更可能とする。
【００１０】
【発明の実施の形態】
以下、本発明の一実施の形態を、添付図面を参照して説明する。
図１は、本発明の天板の傾斜角度調整機構を備える連結デスクの斜視図、図２は、その分解斜視図、図３は、この連結デスクにおける天板の傾斜角度調整機構を拡大して示す要部分解斜視図、図４は、傾斜角度調整機構の構造および作動を示す要部断面図、図５は、傾斜角度調整機構において、天板の傾斜の調整方法を説明するための要部断面図である。
なお、図１〜図３においては、天板を２点鎖線で示してある。
【００１１】
図示の連結デスクは、前後２枚の天板（１）（２）を、それぞれ、前後における左右に配置した支持アーム（３）（３）、（４）（４）を介して、１つの支持部材（５）に支持して構成されてある。
【００１２】
前方の天板（１）を支持する左右の各支持アーム（３）は、前後方向に向かって延びる横支杆（６）と、この横支杆（６）の後端近傍の下面から下方に向かって延設された縦支杆（７）とによって、側面視ほぼＬ字型に形成されている。左右支持アーム（３）（３）は、天板（１）の左右幅にほぼ対応する間隔をもって平行に配置され、両支持アーム（３）（３）は、連結杆（８）を介して互いに連結されている。
【００１３】
同様に、後方の天板（２）を支持する左右の各支持アーム（４）も、前後方向に向かって延びる横支杆（９）と、この横支杆（９）の前端近傍の下面から下方に向かって延設された縦支杆（１０）とによって、側面視ほぼＬ字型に形成されている。左右の支持アーム（４）（４）は、天板（２）の左右幅にほぼ対応する間隔をもって平行に配置され、両支持アーム（４）（４）は、連結杆（１１）を介して互いに連結されている。
【００１４】
前後の天板（１）（２）は、それぞれ、支持アーム（３）（４）における横支杆（６）（９）上に支持され、図示を省略したボルトによって固定されている。
【００１５】
前記支持部材（５）は、天板（１）（２）の左右端部の下方に、前後方向にそれぞれ配置され、下面がアジャスタ（１２ａ）を介して接地される脚板（１２）（１２）と、それらの脚板（１２）（１２）を互いに連結する枠体（１３）とによって構成されている。
【００１６】
枠体（１３）は、前方の天板（１）の後部下方に、この天板の左右方向に配置された上下２本の角パイプ（１４ａ）（１４ｂ）と、これらの角パイプを左右端近傍において連結する縦支杆（１７）（１７）とからなる前部枠体（１４）と、後方の天板（２）の前部下方に、この天板の左右方向に配置された上下２本の角パイプ（１５ａ）（１５ｂ）と、これらの角パイプを左右端近傍において連結する縦支杆（１８）（１８）とからなる後部枠体（１５）と、両枠体（１４）（１５）を連結する連結枠（１６）とより形成されている。この枠体（１３）は、前部枠体（１４）、後部枠体（１５）における上下の角パイプ（１４ａ）（１４ｂ）、（１５ａ）（１５ｂ）の左右端を、脚板（１２）（１２）の内面に形成した突起（１２ｂ）に嵌合させ、溶接等によって脚板（１２）（１２）に固定されている。
【００１７】
左右脚板（１２）の内面には、前部枠体（１４）と後部枠体（１５）の間に、２つの箱状の取付け部材（１９），（２０）が、脚板（１２）の前後方向に並んで、溶接等によって一体に取付けられている。
【００１８】
図３に示すように、取付け部材（１９）には、その内面上部の前後の同じ高さの位置に、上部雌ねじ孔（２１ａ）（２１ｂ）が形成され、間隔をおいて下方の前後に同様に第１段雌ネジ孔（２２ａ）（２２ｂ）、第２段雌ネジ孔（２３ａ）（２３ｂ）、第３段雌ネジ孔（２４ａ）（２４ｂ）、第４段雌ネジ孔（２５ａ）（２５ｂ）が、上下方向に２列形成されている。
【００１９】
一方、支持アーム（３）の縦支杆（７）には、その上部の前後の同じ高さの位置に、前記取付け部材（１９）における前後の上部雌ネジ孔（２１ａ）（２１ｂ）に対応する間隔をもって第１段ネジ挿通孔（２６ａ）（２６ｂ）、第２段ネジ挿通孔（２７ａ）（２７ｂ）、第３段ネジ挿通孔（２８ａ）（２８ｂ）、第４段ネジ挿通孔（２９ａ）（２９ｂ）が上下方向に前記取付け部材（１９）における第１〜第４段の雌ネジ孔（２２ａ）〜（２５ａ）と同一ピッチをもって貫設され、さらに、間隔をおいて、下方の前後に下部ネジ挿通孔（３０ａ）（３０ｂ）が貫設されている。
【００２０】
なお、前記第１段ネジ挿通孔（２６ａ）、（２６ｂ）〜第４段ネジ挿通孔（２９ａ）（２９ｂ）および下部ネジ挿通孔（３０ａ）（３０ｂ）は、そこに挿通されるネジ（３１）（３２）の径に対して、天板（１）の傾斜を調整するための支持アーム（３）の回動を許容する程度に、充分に大きな径を有している。
【００２１】
支持アーム（３）は、第１段ネジ挿通孔（２６ａ）に挿通させたネジ（３１）の先端を取付け部材（１９）の上部雌ネジ孔（２１ａ）に螺合し、かつ下部ネジ挿通孔（３０ｂ）に挿通した支点用ネジ（３２）の先端を取付け部材（１９）の第４段雌ネジ孔（２５ｂ）に螺合し、これらのネジ（３１），（３２）を締結させることによって、脚板（１２）に固定されている。
【００２２】
支持アーム（３）における縦支杆（７）の前面の下部には、前記下部ネジ挿通孔（３０ａ）（３０ｂ）と同一高さの位置に、雌ネジ孔（３３）が形成され、一方、上記前部枠体（１４）における縦支杆（１７）には、上下方向に、前記取付け部材（１９）における第１段雌ネジ孔（２２ａ）、（２２ｂ）〜第４段雌ネジ孔（２５ａ）、（２５ｂ）と同一高さの位置に、第１段ネジ挿通孔（３４）〜第４段ネジ挿通孔（３７）が形成されている。
【００２３】
これらのネジ挿通孔（３４）〜（３７）から、支持アーム（３）における縦支杆（７）の雌ねじ孔（３３）に合致する１つを選択し、ネジ（３８）を挿入して、その先端を縦支杆（７）の雌ネジ孔（３３）に螺合締結させることによって、支持アーム（３）が前部枠体（１４）に固定されている。
【００２４】
前部枠体（１４）の縦支杆（１７）の上部には、調節ボルト用雌ネジ孔（３９）が形成され、この雌ネジ孔（３９）には、調節ボルト（４０）が螺入されている。調節ボルト（４０）は、後端に半球形の押当部（４０ａ）を有し、かつ前端に、ドライバー等の回動工具と係合する、例えばすり割り，プラス溝，６角穴等の係合部（４０ｂ）が形成されている。調節ボルト（４０）を回転工具によって回動させ、押当部（４０ａ）で支持アーム（３）の前面を押圧しうるようになっている。
【００２５】
以下、前記天板（１）の傾斜角度調整機構の作用を説明する。
【００２６】
図４において、支持アーム（３）は、第１段ネジ挿通孔（２６ａ）に挿通したネジ（３１）の先端を、取付け部材（１９）の上部雌ネジ孔（２１ａ）に螺合し、かつ下部ネジ挿通孔（３０ｂ）に挿通した支点用ネジ（３２）の先端を取付け部材（１９）の第４段雌ネジ孔（２５ｂ）に螺合し、さらに、前部枠体（１４）における縦支杆（１７）の第４ネジ挿通孔（３７）に挿通したネジ（３８）の先端を、支持アーム（３）の雌ネジ孔（３３）に螺合し、それらのネジ（３１）（３２）（３８）を締結することによって、脚板（１２）および前部枠体（１４）に固定されている。
【００２７】
天板（１）が、実線で示すように、前向下方へ傾斜した場合には、ネジ（３１）（３２）を緩め、さらに、ネジ（３８）を取り外し、次いで、調節ボルト（４０）を、その前端に設けられたプラス溝等の係合部（４０ｂ）に、ドライバ等の回動工具を係合させて回し、後端の押当部（４０ａ）をもって支持アーム（３）の縦支杆（７）を押すことにより、支持アーム（３）は、前記したように、ねじ挿通孔（２６ａ）は、ねじ（３１）の径に対して、充分に大きな径を有しているため、支点用ネジ（３２）を支点として時計方向に回動され、天板（１）は、２点鎖線で示すように、前部が上方へ押し上げられる。
【００２８】
この２点鎖線で示す位置で、天板（１）を位置決めしようとする場合には、ネジ（３１）（３２）を締め込み、さらに、ネジ（３８）の先端を、再び支持アーム（３）の雌ネジ孔（３３）に螺合して締結する。
なお、ネジ挿通孔（３７）も、ネジ（３８）の径に対して、充分に大きな径を有するように形成されている。
【００２９】
天板（１）全体を高く、例えば取付け部材（１９）における雌ネジ孔の２段分上方に設定しようとする場合には、図５に示すように、先ず、ネジ（３１）（３２）（３８）を外し、次いで、天板（１）を高くした後に、ネジ（３２）を再び支持アーム（３）における縦支杆（７）のネジ挿通孔（３０ｂ）に挿通して、その先端を、取付け部材（１９）の雌ネジ孔（２３ｂ）に螺合し、ネジ（３１）を前記縦支杆（７）のネジ挿通孔（２８ａ）に挿通して、その先端を、取付け部材（１９）の雌ネジ孔（２１ａ）に螺合し、さらに、ネジ（３８）を前部枠体（１４）のネジ挿通孔（３５）に挿通して、その先端を、支持アーム（３）の雌ネジ孔（３３）に螺合し、それらのネジ（３１）（３２）（３８）を締め込んで、支持アーム（３）を取付け部材（１９）および前部枠体（１４）に固定する。
【００３０】
なお、前記実施形態では、支持アーム（３）の縦支杆（７）に、前後２列にネジ挿通孔（２６ａ）〜（２９ａ）、（２６ｂ）〜（２９ｂ）および（３０ａ）（３０ｂ）が配置されているが、これは、たとえば、図３において、天板（１）の傾斜角度や高さを調整した後に、前部の第１段ネジ挿通孔（２６ａ）に対応する後部の第１段ネジ挿通孔（２６ｂ）にも、図示を省略したネジを挿通し、取付部材（１９）における対応する雌ねじ孔（２１）に螺合させることにより、支持アーム（３）を一層強固に支持部材（５）に固定するためである。
【００３１】
また、前方の天板（１）の傾斜角度等の調整機構について説明したが、後方の天板（２）についても、同様な傾斜角度等の調整機構が設けられており、各天板の傾斜角度の調整とともに、両天板における対向する縁辺の高さの不一致を容易に調整することができる。
【００３２】
前記実施形態では、支持アーム（３）における縦支杆（７）の下部を、支点用ネジ（３２）によって取付け部材（１９）に回動自在に支持し、縦支杆（７）の前面の上部を、前部枠体（１４）における縦支杆（１７）に螺合した調節ボルト（４０）の後端で押圧して、支持アーム（３）を回動させているが、図６に示すように、前部枠体（４１）を支持アーム（４２）の縦支杆（４３）の後方に位置させ、支持アーム（４２）を、縦支杆（４３）の上部において、支点用ネジ（４４）によって取付け部材（４５）に回動自在に支持し、縦支杆（４３）の後面の下部を、前部枠体（４１）に螺合させた調節ボルト（４６）の前端で押圧して、支持アーム（４２）を回動させることもできる。
【００３３】
また、前記実施の形態では、天板の角度調整機構を天板（１）の左右端部に設けているが、支持枠（５）の左右中間部に脚部（１２）に相当する中間部材を設け、この中間部材に支持アームを回動自在に支持し、天板の角度調整機構を設けることもできる。
【００３４】
また、前記実施の形態では、支持部材に前後２枚の天板を設けた連結デスクを示したが、支持部材に１枚の天板を設けたデスクにも、本発明を適用できることは勿論である。さらに、本発明は、デスクばかりでなく、テーブル，ローパーティションなどにも適用できる。
【００３５】
【発明の効果】
本発明によると、次のような効果が奏せられる。
（１）請求項１記載の発明によれば、支持部材に設けた調整ボルトを回すことにより、天板を載置固定した支持アームを回動させて、天板の傾斜角度を調整するようにしたため、天板や支持アーム自身の撓みによって天板が傾斜した場合にも、その傾斜を容易に是正して調整することができる。また、隣り合って並んだ天板の対向する縁辺の高さの不一致を解消することができ、かつ調節ボルトを回すことによって天板の調整ができるため、調整作業も容易である。
【００３６】
（２）請求項２記載の発明によれば、天板の傾斜を調節した後における支持アームの回動が確実に阻止され、支持アームが支持部材に強固に支持される。
【００３７】
（３）請求項３記載の発明によれば、支持アーム同士を横支杆によって連結しているため、各支持アームの回動角度が同一となり、天板の左右において傾斜角度を同一に保持することができる。
【００３８】
（４）請求項４記載の発明によれば、天板の上下方向の位置も段階的に容易に変更することができる。
【図面の簡単な説明】
【図１】本発明の天板の傾斜角度調整機構を備えた連結デスクの斜視図である。
【図２】図１に示す連結デスクの分解斜視図である。
【図３】図１における天板の傾斜角度調整機構を拡大して示す要部分解斜視図である。
【図４】図３に示す傾斜角度調整機構の構造および作動を示す要部断面図である。
【図５】図３に示す傾斜角度調整機構において、天板の傾斜の調整方法を説明するための要部断面図である。
【図６】本発明の他の実施形態を示す要部断面図である。
【符号の説明】
（１）（２）天板
（３）（４）支持アーム
（５）支持部材
（６）横支杆
（７）縦支杆
（８）連結杆
（９）横支杆
（１０）縦支杆
（１１）連結杆
（１２）脚板
（１２ａ）アジャスタ
（１２ｂ）突起
（１３）枠体
（１４）前部枠体
（１４ａ）（１４ｂ）角パイプ
（１５）後部枠体
（１５ａ）（１５ｂ）角パイプ
（１６）補強用角パイプ
（１７）（１８）縦支杆
（１９）（２０）取付け部材
（２１ａ）（２１ｂ）上部雌ねじ孔
（２２ａ）（２２ｂ）第１段雌ネジ孔
（２３ａ）（２３ｂ）第２段雌ネジ孔
（２４ａ）（２４ｂ）第３段雌ネジ孔
（２５ａ）（２５ｂ）第４段雌ネジ孔
（２６ａ）（２６ｂ）第１段ネジ挿通孔
（２７ａ）（２７ｂ）第２段ネジ挿通孔
（２８ａ）（２８ｂ）第３段ネジ挿通孔
（２９ａ）（２９ｂ）第４段ネジ挿通孔
（３０ａ）（３０ｂ）下部ネジ挿通孔
（３１）ネジ
（３２）支点用ネジ
（３３）雌ネジ孔
（３４）第１段ネジ挿通孔
（３５）第２段ネジ挿通孔
（３６）第３段ネジ挿通孔
（３７）第４段ネジ挿通孔
（３８）ネジ
（３９）調節ボルト用雌ネジ孔
（４０）調節ボルト
（４０ａ）押当部
（４０ｂ）係合部
（４１）前部枠体
（４２）支持アーム
（４３）縦支杆
（４４）支点用ネジ
（４５）取付け部材
（４６）調節ボルト
【図１】
2004351117.tif 000003
【図２】
2004351117.tif 000004
【図３】
2004351117.tif 000005
【図４】
2004351117.tif 000006
【図５】
2004351117.tif 000007
【図６】
2004351117.tif 000008